(57)【要約】      （修正有）【課題】安定して物品を載置することができる物品の支持構造を提供する。【解決手段】固定部材４０、挿入嵌合ソケット５０及び挿入ロッド６０からなり、該固定部材４０に複数の四辺形の挿入接続孔４１を設け、該挿入嵌合ソケットは上端に挿入ロッド６０を嵌合して支持する載置部５１を設けると共に、該載置部の下側に径方向に拡大した係止部を設け、さらに、該係止部下方には、上記固定材の厚みに相当する間隔を設けて上記挿入接続孔に挿通する径方向に拡大した翼部を設ける。挿入嵌合ソケット５０の挿入接続孔４１に挿入嵌合ソケット５０の翼部を挿入して回転して向きを変えることにより、該挿入嵌合ソケット５０を固定部材４０に固定し、次いで挿入ロッド６０を該挿入嵌合ソケット５０の載置部５１に嵌合固定することにより、水平或は垂直な支持面を構成することができる。【選択図】図３
0003213751.tif 000002
【実用新案登録請求の範囲】
【請求項１】
固定部材、挿入嵌合ソケット及び挿入ロッドからなり、
上記固定部材は、上面に複数の四辺形の挿入接続孔を設け、
上記挿入嵌合ソケットは、上部に挿入ロッドを嵌合する載置部を設けると共にその下側に径方向に拡大した係止部を設け、さらにその下方に上記固定部材の厚みに相当する間隔を設けて、上記挿入接続孔に対応する四辺形を呈して径方向に拡大した翼部を設け、
該嵌合ソケットの翼部を固定部材の挿入接続孔に挿通して上記係止部に当接して係止し、次いで嵌合ソケットを回動させることにより該挿入接続孔に対してその翼部を係止させるようにし、
上記挿入ロッドは、その外径を上記挿入嵌合ソケットの載置部内径に対応させて嵌合支持可能とすると共に該挿入ロッド両端に該挿入嵌合ソケットの載置部に対する係止ブロックを設けたことを特徴とする物品の支持構造。
【考案の詳細な説明】
【技術分野】
【０００１】
本考案は、物品の支持構造に関し、特に、組み立て、取り外しが迅速で便利な利点を有し、載置の安定性を向上できる物品の支持構造に関する。
【背景技術】
【０００２】
現在、キャッチゲーム機、販売機、展示機等は、その載置プラットフォームの多くが複数のロッド部材で囲む枠を設けることによりフレーム支持構造を形成した後、該支持フレーム上に載置板（例えば、アクリル、プラスチック板、木板、鉄板等）を設置して商品を安置する。
全体の通気性及び視野開放感を与えるため、その多くは、透明のアクリル板を載置板とする。しかしながら、比較的重い商品の載置を受けさせるため、該載置板とするアクリル板は、一定の厚さを有する必要があり、従って、その重量は、それに伴って増加し、業者の運搬、組み立て時の不便を招く。
【０００３】
上記欠陥を改善するため、ある業者は、複数のロッド部材を配列することによって載置プラットフォームを形成させ、複数のロッド部材上に商品を安置する。
図１に示すように、機台１０上に少なくとも２つの挿入接続ソケット１１を設け、該挿入接続ソケット１１上に複数の挿入孔１２を設け、該挿入孔１２は、挿入ロッド２０をその中に挿入させ、挿入ロッド２０の両端が挿入接続ソケット１１の挿入孔１２中に挿入設置されることにより、挿入ロッド２０を２つの挿入接続ソケット１１の間に跨ぎ設けて、物品を安置させるプラットフォームを形成する。但し、挿入ロッド２０を調製交換する必要がある時、挿入接続ソケット１１を取り外してようやく挿入ロッド２０を挿入接続ソケット１１の挿入孔１２に挿入（取り外し）でき、人員が作業において操作が複雑であるという欠陥を招く。
【０００４】
また、上記挿入接続ソケット１１及び挿入ロッド２０が有する欠陥を改善する為、ある業者は、載置フレーム３０を改良設計しており、図２に示すように、該載置フレーム３０うえに複数の凹溝３１を設け、該凹溝３１は、挿入ロッド２０をその上に安置させ、機台１０に２組の載置フレーム３０を設置することにより、挿入ロッド２０をその上に跨がせ、物品を安置させるプラットフォームを形成する。しかしながら、該載置フレーム３０上に凹溝３１を簡単に設置するだけで挿入ロッド２０を固定可能な設計を有しておらず、このため、該挿入ロッド２０は、衝撃、揺動、又はその他の外力作用によって凹溝３１から滑り出し、挿入ロッド２０の移動又はその他の挿入ロッド２０に衝突させ、商品の配置、配列に影響し、且つ業者が挿入ロッド２０を安置し直す必要があり、使用上の不便な欠陥を有する。
【先行技術文献】
【特許文献】
【０００５】
【特許文献１】特開２０１３-１８０１８４号公報
【特許文献２】実開昭６０−１５２３６３号公報
【考案の概要】
【考案が解決しようとする課題】
【０００６】
本創作の目的は，前記の欠点を改善することにあり，載置する物品に応じて構造を変更可能であり、安定して物品を載置することができる構造を提供する。
【課題を解決するための手段】
【０００７】
上記の目的を達成する為、本考案の物品の支持構造は、固定部材、挿入嵌合ソケット及び挿入ロッドを含み、
固定部材は、その上に複数の挿入接続孔を設け、該挿入接続孔は、四辺形を呈し、且つ該固定部材は、厚さを有し、
挿入嵌合ソケットは、その上端に載置部を設け、該載置部は、挿入ロッドを挿入させることができ、載置部の下端に径方向に係止部を設け、係止部の下端は、底上げを経て径方向に翼部を有し、係止部及び翼部の間に間隔を有し、該間隔の幅は、固定部材の厚さと対応し、且つ該翼部は、固定部材上に設ける挿入接続孔と対応して四辺形を呈し、
該係止部の外径は、翼部の外径より大きく、
挿入嵌合ソケットの載置部に挿入設置され、且つ該挿入ロッドの外径は、載置部の内径と対応し、
該挿入ロッドの両端は、係止ブロックを設け、該係止ブロックの外径は、挿入ロッドの外径よりも大きい。
【考案の効果】
【０００８】
上記構造により、組み立て、取り外しに便利であり、且つ載置の安定性を向上することができる物品の支持構造を提供する。
【図面の簡単な説明】
【０００９】
【図１】従来の機台上に挿入ロッドを設置する立体説明図（一）である。
【図２】従来の機台上に挿入ロッドを設置する立体説明図（二）である。
【図３】本考案の立体分解図である。
【図４】本考案の挿入嵌合ソケットの立体図である。
【図５】本考案の挿入嵌合ソケットの側面図である。
【図６】本考案の挿入嵌合ソケットの翼部及び固定部材の挿入接続孔が平行状に挿入される挿入接続孔を呈する立体説明図である。
【図７】本考案の挿入嵌合ソケットの翼部及び固定部材の挿入接続孔が平行状に挿入される挿入接続孔を呈する断面説明図である。
【図８】本考案の挿入嵌合ソケットの翼部及び固定部材に垂直状を呈させ、嵌合固定する立体説明図である。
【図９】本考案の挿入嵌合ソケットの翼部及び固定部材に垂直状を呈させ、嵌合固定する断面説明図である。
【図１０】本考案のキャッチゲーム機上に結合した説明図である。
【図１１】本考案の壁に結合した説明図である。
【考案を実施するための形態】
【００１０】
本考案は、目的を達成する為に用いる技術手段及びその構造について、図３〜図１１に示す実施例を合わせ、詳細を以下に説明する。
【００１１】
図３に示すように、実施例中の物品の支持構造は、固定部材４０、挿入嵌合ソケット５０及び挿入ロッド６０を含む。
【００１２】
固定部材４０（図６、図７を同時に参照）は、その上に複数の挿入接続孔４１を設け、該挿入接続孔４１は、四辺形を呈し、且つ該固定部材４０は、厚さを有する。
【００１３】
上記を受けて、該固定部材４０は、図３に示すような支持フレーム態様の厚みのあるフレーム体であり、金属板態様の板体である。
【００１４】
装入嵌合ソケット５０（図４、図５を同時に参照）は、その上端に載置部５１を設け、該載置部５１は、挿入ロッド６０を挿入して嵌合可能であって、載置部５１の下端に径方向に拡大した係止部５２を設け、係止部５２の下方には、固定部材４０の厚みに相当する間隔を経て径方向に拡大した翼部５３を設け、且つ該翼部５３は、固定部材４０に設ける挿入接続孔４１と対応して四辺形を呈し、該係止部５２の外径は、翼部５３の外径より大きい。
【００１５】
挿入ロッド６０（図３を同時に参照）は、挿入嵌合ソケット５０の載置部５１に挿入され、且つ該挿入ロッド６０の外径は、載置部５１の内径と対応する。また、該挿入ロッド６０の両端には、該載置部５１に対する係止ブロック６１を設け、該係止ブロック６１の外径は、挿入ロッド６０の外径より大きい。
【００１６】
上記構造により、該挿入嵌合ソケット５０端に設けた翼部５３は、固定部材４０の挿入接続孔４１と対応する四辺形であり、該挿入嵌合ソケット５０の翼部５３を固定部材４０の挿入接続孔４１と平行に向けて挿入接続孔４１に挿入させ（図６、図７参照）、挿入嵌合ソケット５０を回転して、挿入嵌合ソケット５０の翼部５３の四辺形を固定部材４０の挿入接続孔４１の四辺形と垂直方向に向きを変えると（図８、図９参照）、挿入嵌合ソケット５０の係止部５２及び翼部５３の間の間隔は、固定部材４０の厚さと対応するから、挿入嵌合ソケット５０の翼部５３を挿入接続孔４１の底面側に当接して嵌合させることができる。
これと併せて係止部５２と挿入接続孔４１の上面側との係止により、挿入嵌合ソケット５０を固定部材４０の挿入接続孔４１上に確かに位置決めして固定でき、図１０に示すように、本考案の固定部材４０をキャッチゲーム機７０（又は販売機、展示機、・・・等）上に取付ける時、挿入ロッド６０を挿入嵌合ソケット５０の載置部５１に挿入設置でき、挿入ロッド５０を２つの固定部材４０上に跨ぐように設けさせて、固定部材４０上に複数の挿入接続孔４１を設置し、複数の挿入嵌合ソケット５０及び挿入ロッド６０をその上に載置させ、載置プラットフォームを形成させ、その上に商品を安置させることができる。
【００１７】
挿入ロッド６０を除去したい時又は数量を調整する時、挿入ロッド６０を挿入嵌合ソケット５０の載置部５１から取り外す必要があるが、挿入嵌合ソケット５０を逆向きに回転させ、挿入嵌合ソケット５０の翼部５３の四辺形を固定部材４０の挿入接続孔４１の四辺から、挿入嵌合ソケット５０を取り外し、その後、必要に応じて除去するか、挿入嵌合ソケット５０及び挿入ロッド６０の位置、数量を調整することができる。
【００１８】
また、本考案は、挿入嵌合ソケット５０により固定部材４０上に位置決め固定された挿入ロッド６０を商品を安置させるプラットフォームとして使用することができるだけでなく、該固定部材５０が垂直に設置される時、図１１に示すように、該挿入ロッド６０は、フックロッドを形成でき、商品又は物品をフックさせて使用でき、同時に、ぬいぐるみキャッチゲーム機の使用時、ぬいぐるみの挟持固定をさせることができる。
【００１９】
上記から分かるように、本考案は、以下の利点を有する。
（一）本考案は、挿入嵌合ソケット５０を固定部材４０上に設けられた挿入接続孔４１に挿入嵌合した後、挿入嵌合ソケット５０を回転し、挿入嵌合ソケット５０を固定部材４０上に位置決め固定させ、挿入ロッド６０を挿入嵌合ソケット５０上に挿入することにより、挿入ロッド６０を固定位置決めでき、固定部材４０を取り外す必要がなく、従って、本考案は、操作が簡単、便利、迅速な利点を有する。
（二）本考案は、固定部材４０の挿入接続孔４１及び挿入嵌合ソケット５０の翼部５３が対応する四辺形の構造であることにより、並びに挿入嵌合ソケット５０により翼部５３の四辺形を挿入接続孔４１の四辺形と垂直状を形成させ、同時に挿入嵌合ソケット５０に設けた係止部５２及び翼部５３の間隔を固定部材４０の厚さに対応し、挿入嵌合ソケット５０を固定部材４０上に確実に嵌合位置決めさせることができ、構造簡単で、操作が便利であり且つ挿入嵌合ソケット５０を安定位置決めできる利点を有する。
（三）本考案の固定部材４０は、複数の挿入接続孔４１を設けることにより、必要に応じて挿入嵌合ソケット５０及び挿入ロッド６０を配置する数量を決定でき、２つずつの挿入嵌合ソケット５０及び挿入ロッド６０の間の間隔を調整でき、本考案を載置プラットフォームとして使用する時、載置板（例えば、アクリル、プラスチック板、木板、鉄板等）を更に設置する必要がなく、且つ本考案は、物品の大きさ及び数量に基づいて挿入ロッド６０の数量を増加（又は減少）し、従って、本考案は、高い実用性及び可変換性を有し、確かにコストを低減することができる。
（四）本考案の固定部材４０は、キャッチゲーム機、販売機、展示機等内に設けて水平な支持面を形成でき、複数の挿入ロッド６０を組み付けて水平状の載置プラットフォームを形成し、或いは、本考案の固定部材４０は、キャッチゲーム機、販売機、展示機等の内部に垂直に配置して、壁、カウンター等に垂直な支持面を設けることもでき、フックロッドとして使用することができる。
従って、本考案は、高い実用性及び広範の応用範囲を有する。
（五）本考案の挿入ロッド６０は、挿入嵌合ソケット５０の載置部５１に挿入設置され、同時に挿入ロッド６０の両端に設けられた係止ブロック６１により、該挿入ロッド６０は、挿入嵌合ソケット５０の載置部５１から脱落することがなく、本考案が衝撃、揺動又は外力の作用を受けたとしても、該挿入ロッド６０は、依然として挿入嵌合ソケット５０の載置部５１に安定して載置でき、同時に、挿入嵌合ソケット５０は、固定部材４０上に安定して嵌合位置決めでき、本考案は、確かに商品を載置する安定性を向上することができる。
（六）本考案の固定部材４０上に複数の挿入接続孔４１を設置し、挿入嵌合ソケット５０を挿入接続孔４１に嵌合し、プラットフォーム又はフックロッドとして物品を安置する時、物品の大きさに応じて挿入ロッド６０間の間隔及び数量を調整することができ、従って、コストを低減し、実用性を向上することができる。
【００２０】
故に、本考案は、確かに顕著な進歩性を有し、その構造は、確かに従来技術になく、実用新案の要件に符合している。
【００２１】
なお、本考案では好ましい実施例を前述の通り開示したが、これらは決して本考案を限定するものではなく、当該技術を熟知する者なら誰でも、本考案の精神と領域を脱しない均等の範囲内で各種の変動や潤色を加えることができることは勿論である。
【符号の説明】
【００２２】
１０  機台
１１  挿入ソケット
１２  挿入孔
２０  挿入ロッド
３０  載置フレーム
３１  凹溝
４０  固定部材
４１  挿入接続孔
５０  挿入嵌合ソケット
５１  載置部
５２  係止部
５３  翼部
６０  挿入ロッド
６１  係止ブロック
７０  キャッチゲーム機台
【図１】
0003213751.tif 000003
【図２】
0003213751.tif 000004
【図３】
0003213751.tif 000005
【図４】
0003213751.tif 000006
【図５】
0003213751.tif 000007
【図６】
0003213751.tif 000008
【図７】
0003213751.tif 000009
【図８】
0003213751.tif 000010
【図９】
0003213751.tif 000011
【図１０】
0003213751.tif 000012
【図１１】
0003213751.tif 000013